(57)【要約】【課題】水中に高濃度酸素を溶かし、かつ継続して酸素水として供給することが可能な酸素水供給機を提供することを目的とする。【解決手段】水１２を蓄えた水タンク１１に、気体分離膜を有する高濃度酸素供給部５を接続し、水タンク１１の水中に継続して高濃度酸素を送り込んで溶かし酸素水としている。これにより、継続して酸素水を飲用として提供することが可能となる。【選択図】  図１
2004351294.tif 000002
【特許請求の範囲】
【請求項１】
供給空気から酸素を透過させる気体分離膜と、気体分離膜から空気を吸引して高濃度酸素空気を吐出する電動ポンプと、気体分離膜に空気を送風する送風機と、高濃度酸素空気輸送ホースとを有する高濃度酸素供給部と、前記高濃度酸素空気輸送ホースを介して高濃度酸素供給部が接続された水タンクとを備え、前記水タンク内に蓄えた水中に高濃度酸素供給部より高濃度酸素を供給する酸素水供給機。
【請求項２】
水タンク内には殺菌手段を有する請求項１に記載の酸素水供給機。
【請求項３】
水タンク内には攪拌手段を有する請求項１または２に記載の酸素水供給機。
【請求項４】
水タンク内には高濃度酸素供給部より供給された高濃度酸素の酸素気流により回転するタービンを有する請求項１または２に記載の酸素水供給機。
【請求項５】
水タンク内の水を浄水器に循環させるようにした請求項１〜４のいずれか１項に記載の酸素水供給機。
【発明の詳細な説明】
【０００１】
【発明の属する技術分野】
本発明は、高濃度酸素を水に溶かして、酸素水として供給することが可能な酸素水供給機に関するものである。
【０００２】
【従来の技術】
従来、圧縮酸素を封入した酸素ボンベを用いて、酸素ボンベからの吐出量を電磁弁にて調整しながら酸素を供給する酸素供給装置は知られている（例えば、特許文献１参照）。
【０００３】
これは、図６に示しているように、筐体１の内部に、酸素ボンベ２や制御機器３等を装備して、酸素ボンベ２からの吐出量を調整しながら吐出口４から酸素を外部へと出す構成である。
【０００４】
【特許文献１】
特開平０６―１５９７１５号公報
【０００５】
【発明が解決しようとする課題】
しかしながら、上記従来の酸素供給装置では、酸素を空中に供給することは可能であるが、水に溶けた状態で身体内に吸収しようとした場合、このまま直ぐには使えるものではない。更に、酸素ボンベの容量により供給量が制限され、必要とするときに供給できない事態を招き、長く酸素を供給しようとすれば、酸素ボンベの巨大なものが必要となるという課題を有していた。
【０００６】
本発明は、上記従来の課題を解決するものであり、水中に高濃度酸素を溶かし、かつ継続して酸素水として供給することが可能な酸素水供給機を提供することを目的としている。
【０００７】
【課題を解決するための手段】
上記目的を達成するために、本発明の酸素水供給機は、気体分離膜、電動ポンプ、送風機、高濃度酸素空気輸送ホースを有する高濃度酸素供給部より、水タンク内に蓄えた水中に高濃度酸素を供給するようにしたものである。
【０００８】
これにより、水中に高濃度酸素を溶かし、かつ継続して酸素水として供給することが可能な酸素水供給機が提供できるものである。
【０００９】
【発明の実施の形態】
請求項１に記載の発明は、供給空気から酸素を透過させる気体分離膜と、気体分離膜から空気を吸引して高濃度酸素空気を吐出する電動ポンプと、気体分離膜に空気を送風する送風機と、高濃度酸素空気輸送ホースとを有する高濃度酸素供給部と、前記高濃度酸素空気輸送ホースを介して高濃度酸素供給部が接続された水タンクとを備え、前記水タンク内に蓄えた水中に高濃度酸素供給部より高濃度酸素を供給する酸素水供給機とすることにより、水中に高濃度酸素を溶かし、かつ継続して酸素水として供給することが可能な酸素水供給機が提供できるものである。
【００１０】
請求項２に記載の発明は、水タンク内には殺菌手段を有する請求項１に記載の酸素水供給機とすることにより、水タンク内の水が殺菌され、清潔になった酸素水を継続的に飲用として提供できることになる。
【００１１】
請求項３に記載の発明は、水タンク内には攪拌手段を有する請求項１または２に記載の酸素水供給機とすることにより、水タンク内の水には攪拌されながら酸素が与えられるので、溶融濃度が上昇した酸素水を継続的に飲用として提供できることになる。
【００１２】
請求項４に記載の発明は、水タンク内には高濃度酸素供給部より供給された高濃度酸素の酸素気流により回転するタービンを有する請求項１または２に記載の酸素水供給機とすることにより、低電力で、水タンク内の水には攪拌されながら酸素が与えられるので、溶融濃度が上昇した酸素水を継続的に飲用として提供できることになる。
【００１３】
請求項５に記載の発明は、水タンク内の水を浄水器に循環させるようにした請求項１〜４のいずれか１項に記載の酸素水供給機とすることにより、浄化しつつ酸素を与えられるので、浄化酸素水を継続的に飲用として提供できることになる。
【００１４】
【実施例】
以下、本発明の実施例について、図面を参照して説明する。
【００１５】
（実施例１）
本発明の実施例１における酸素水供給機について、図１、図２に基づいて説明する。
【００１６】
図１に示すように、本実施例の酸素水供給機は、高濃度酸素供給部５と、この高濃度酸素供給部５が接続された、水１２を蓄えた水タンク１１とを備えている。
【００１７】
前記高濃度酸素供給部５は、図２に示すように、供給空気から酸素をより多く透過させる気体分離膜６と、気体分離膜６から空気を吸引して高濃度酸素空気を吐出する電動ポンプ７と、気体分離膜６に向けて空気を送風する送風機９と、水タンク１１に接続し高濃度酸素空気を輸送する高濃度酸素空気輸送ホース８と、電力供給源１０とを有するものである。ここで、気体分離膜６の具体例としては、酸素富化膜を用いている。
【００１８】
また、水タンク１１は、その内部には殺菌灯等からなる殺菌手段１３を備え、更に、使用者が水タンク１１から水１２を取り出すための蛇口１４が併せて設けられている。この構成により、水タンク１１内に蓄えた水１２中には、高濃度酸素供給部５より高濃度酸素空気輸送ホース８を介して高濃度酸素が供給されるものである。
【００１９】
上記の構成による動作を説明する。
【００２０】
水タンク１１の内部の水１２には、高濃度酸素供給部５から高濃度酸素が継続的に送り込まれ、水タンク１１内の水１２は酸素水になる。これにより、使用者は蛇口１４を操作することで水タンク１１内の酸素水を飲用として提供できるものである。ここで、本実施例では、水タンク１１内の水１２は、殺菌手段１３の作用で常に殺菌された状態となっているため、清潔になった酸素水を継続的に飲用として提供できることになる。
【００２１】
（実施例２）
次に、本発明の実施例２における酸素水供給機について、図３に基づいて説明する。実施例１と同一要素については同一符号を付して説明を省略する。
【００２２】
本実施例においては、水タンク１１内には、撹拌手段を構成する攪拌翼１５を設け、これをモータ１６で駆動するようにしている。他は実施例１と同じである。
【００２３】
上記の構成による動作を説明する。水タンク１１の内部の水１２に対しては、高濃度酸素供給部５から高濃度酸素が送り込まれるが、水タンク１１の内部では攪拌翼１５が回転していて、水１２は攪拌された状態で高濃度酸素の供給を受けている。このため、攪拌された水１２は容易に酸素を溶融することになり、高濃度酸素が継続的に送り込まれることから、水タンク１１内部の水１２は酸素を多く溶存した酸素水になる。これにより、使用者は蛇口１４を操作することで、溶融濃度が上昇した酸素水を飲用することができるものである。
【００２４】
（実施例３）
次に、本発明の実施例３における酸素水供給機について、図４に基づいて説明する。実施例１と同一要素については同一符号を付して説明を省略する。
【００２５】
本実施例においては、水タンク１１内には、高濃度酸素供給部５より供給された高濃度酸素の酸素気流により回転するタービン１７を有するものである。すなわち、タービン１７は、高濃度酸素空気輸送ホース８の水タンク１１への接続口に対向して配置されている。他は実施例１と同じである。
【００２６】
上記の構成による動作を説明する。水タンク１１の内部の水１２に対して、高濃度酸素供給部５から高濃度酸素がタービン１７に向けて噴出されて送り込まれる。水タンク１１の内部ではタービン１７が酸素気流により回転されるので、水１２は攪拌された状態で高濃度酸素の供給を受けていることになる。このため、攪拌された水１２は容易に酸素を溶融することになり、高濃度酸素が継続的に送り込まれることから、水タンク１１内の水１２は酸素を多く溶存した酸素水になる。これにより、使用者は蛇口１４を操作することで、溶融濃度が上昇した酸素水を飲用することができるものである。
【００２７】
（実施例４）
次に、本発明の実施例４における酸素水供給機について、図５に基づいて説明する。実施例１と同一要素については同一符号を付して説明を省略する。
【００２８】
本実施例においては、水タンク１１内の水１２を、循環ポンプ１９を介して浄水器１８と水タンク１１に循環させている。他は実施例１と同じである。
【００２９】
上記の構成による動作を説明する。水タンク１１の内部の水１２は循環ポンプ１９の動作により、浄水器１８と水タンク１１とを循環しており、この浄化されている水１２に対して、高濃度酸素供給部５から高濃度酸素が送り込まれるので、タンク１１内部の水１２は浄化された酸素水となる。これにより、使用者は蛇口１４を操作することで、浄化酸素水を継続的に飲用として提供できることになる。
【００３０】
なお、上記した各実施例１〜４の構成は、必要に応じて適宜組み合わせることができるものであって、実施例そのものに限定されるものではない。
【００３１】
【発明の効果】
上記実施例から明らかなように、本発明の酸素水供給機によれば、水タンク内の水に高濃度酸素供給部から高濃度酸素を継続的に供給し、水中に高濃度酸素を溶かし、継続して酸素水として供給することが可能なものである。
【図面の簡単な説明】
【図１】本発明の実施例１における酸素水供給機の構成図
【図２】同酸素水供給機の高濃度酸素供給部を示す斜視図
【図３】本発明の実施例２における酸素水供給機の構成図
【図４】本発明の実施例３における酸素水供給機の構成図
【図５】本発明の実施例４における酸素水供給機の構成図
【図６】従来の酸素水供給機の断面図
【符号の説明】
５  高濃度酸素供給部
６  気体分離膜
７  電動ポンプ
８  高濃度酸素空気輸送ホース
９  送風機
１１  水タンク
１２  水
１３  殺菌手段
１５  撹拌翼（撹拌手段）
１７  タービン
１８  浄水器
【図１】
2004351294.tif 000003
【図２】
2004351294.tif 000004
【図３】
2004351294.tif 000005
【図４】
2004351294.tif 000006
【図５】
2004351294.tif 000007
【図６】
2004351294.tif 000008